(57)【特許請求の範囲】
【請求項１】
無線通信システムにおける端末の動作方法において、
基地局から受信される信号を利用してダウンリンクＣＩＮＲを測定する過程と、
前記ダウンリンクＣＩＮＲ及び多重ターゲットＣＩＮＲ情報によって決定されるサウンディング信号のターゲットＣＩＮＲを利用して前記サウンディング信号の送信電力レベルを決定する過程と、
前記送信電力レベルによって前記サウンディング信号を送信する過程と、を含み、
前記多重ターゲットＣＩＮＲ情報は、ダウンリンクＣＩＮＲ領域を複数の区分に分割し各区分に対応するターゲットＣＩＮＲを定義していることを特徴とする方法。
【請求項２】
前記基地局から受信されるメッセージを介してサウンディング領域ＮＩ（Ｎｏｉｓｅ  Ｉｎｔｅｒｆｅｒｅｎｃｅ）情報を獲得する過程を更に含むことを特徴とする請求項１に記載の方法。
【請求項３】
無線通信システムにおける端末装置において、
基地局から受信される信号を利用してダウンリンクＣＩＮＲを測定する推定機と、
前記ダウンリンクＣＩＮＲ及び多重ターゲットＣＩＮＲの情報によって決定されるサウンディング信号のターゲットＣＩＮＲを利用して前記サウンディング信号の送信電力レベルを決定する算出機と、
前記送信電力レベルによって前記サウンディング信号を送信する送信機と、を含み、
前記多重ターゲットＣＩＮＲ情報は、ダウンリンクＣＩＮＲ領域を複数の区分に分割し各区分に対応するターゲットＣＩＮＲを定義していることを特徴とする装置。
【請求項４】
前記基地局から受信されるメッセージを介してサウンディング領域ＮＩ情報を獲得する解釈機を更に含むことを特徴とする請求項３に記載の装置。
【請求項５】
前記送信電力レベルは、前記ターゲットＣＩＮＲ及び前記サウンディング領域ＮＩを利用して決定されることを特徴とする請求項２に記載の方法。
【請求項６】
前記送信電力レベルは、前記ターゲットＣＩＮＲ及び前記サウンディング領域ＮＩを利用して決定されることを特徴とする請求項４に記載の装置。
【請求項７】
前記サウンディング信号の前記送信電力レベルを決定する過程は、
前記基地局から受信される信号の総受信電力及び基地局の送信電力値を利用して電波損失（ｐｒｏｐａｇａｔｉｏｎ  ｌｏｓｓ）値を推定する過程と、
前記電波損失値、前記ターゲットＣＩＮＲ及び前記サウンディング領域ＮＩを利用して前記送信電力レベルを決定する過程と、を含むことを特徴とする請求項５に記載の方法。
【請求項８】
前記基地局から受信される信号の総受信電力及び基地局の送信電力値を利用して電波損失値を推定した後、前記電波損失値、前記ターゲットＣＩＮＲ、及び前記サウンディング領域ＮＩを利用して前記送信電力レベルを決定する制御部を更に含むことを特徴とする請求項６に記載の装置。
【請求項９】
前記送信電力レベルは、下記数式のように決定されることを特徴とする請求項７に記載の方法。
【数１】
0005614895.tif 000008
ここで、前記Ｐは前記送信電力レベル、前記Ｌは推定された平均アップリンク電波損失（ｅｓｔｉｍａｔｅｄ  ａｖｅｒａｇｅ  ｃｕｒｒｅｎｔ  ＵＬ  ｐｒｏｐａｇａｔｉｏｎ  ｌｏｓｓ）、前記Ｃ／ＮはターゲットＣＩＮＲ値、前記Ｎは雑音の平均電力レベル（ａｖｅｒａｇｅ  ｐｏｗｅｒ  ｌｅｖｅｌ（ｄＢｍ）ｏｆ  ｔｈｅ  ｎｏｉｓｅ）、前記Ｏｆｆｓｅｔ＿ＳＳｐｅｒｓｓは端末によって制御される補償値、前記Ｏｆｆｓｅｔ＿ＢＳｐｅｒｓｓは基地局によって制御される補償値を意味する。
【請求項１０】
前記送信電力レベルは、下記数式のように決定されることを特徴とする請求項８に記載の装置。
【数２】
0005614895.tif 000009
ここで、前記Ｐは前記送信電力レベル、前記Ｌは推定された平均アップリンク電波損失（ｅｓｔｉｍａｔｅｄ  ａｖｅｒａｇｅ  ｃｕｒｒｅｎｔ  ＵＬ  ｐｒｏｐａｇａｔｉｏｎ  ｌｏｓｓ）、前記Ｃ／ＮはターゲットＣＩＮＲ値、前記Ｎは雑音の平均電力レベル（ａｖｅｒａｇｅ  ｐｏｗｅｒ  ｌｅｖｅｌ（ｄＢｍ）ｏｆ  ｔｈｅ  ｎｏｉｓｅ）、前記Ｏｆｆｓｅｔ＿ＳＳｐｅｒｓｓは端末によって制御される補償値、前記Ｏｆｆｓｅｔ＿ＢＳｐｅｒｓｓは基地局によって制御される補償値を意味する。
【請求項１１】
前記多重ターゲットＣＩＮＲ情報は、前記ダウンリンクＣＩＮＲ値の範囲に対応されるターゲットＣＩＮＲ値を定義し、前記基地局から受信されるメッセージを介して獲得されるか、又は、前記端末に既にセーブされており、
前記ターゲットＣＩＮＲは、前記端末によって決定されることを特徴とする請求項７に記載の方法。
【請求項１２】
前記多重ターゲットＣＩＮＲ情報は、前記ダウンリンクＣＩＮＲ値の範囲に対応されるターゲットＣＩＮＲ値を定義し、前記基地局から受信されるメッセージを介して獲得されるか、又は、前記端末に既にセーブされており、
前記ターゲットＣＩＮＲは、前記端末によって決定されることを特徴とする請求項８に記載の装置。
【請求項１３】
前記多重ターゲットＣＩＮＲ情報は、前記ダウンリンクＣＩＮＲ値の範囲に対応されるターゲットＣＩＮＲ値を定義し、
前記ターゲットＣＩＮＲは、前記基地局から受信されることを特徴とする請求項７に記載の方法。
【請求項１４】
前記多重ターゲットＣＩＮＲ情報は、前記ダウンリンクＣＩＮＲ値の範囲に対応されるターゲットＣＩＮＲ値を定義し、
前記ターゲットＣＩＮＲは、前記基地局から受信されることを特徴とする請求項８に記載の装置。
【請求項１５】
前記ダウンリンクＣＩＮＲを測定した後、前記ダウンリンクＣＩＮＲを前記基地局にフィードバックする過程を更に含むことを特徴とする請求項１３に記載の方法。
【請求項１６】
前記サウンディング信号を送信した後、前記基地局から前記サウンディング信号の送信電力の補正値を受信する過程と、
前記補正値によって前記サウンディング信号の送信電力レベルを調節する過程と、
調節された送信電力レベルによって前記サウンディング信号を送信する過程と、を更に含むことを特徴とする請求項１５に記載の方法。
【請求項１７】
前記制御部は、前記ダウンリンクＣＩＮＲを前記基地局にフィードバックすることを特徴とする請求項１４に記載の装置。
【請求項１８】
前記サウンディング信号を送信した後、前記基地局から前記サウンディング信号の送信電力の補正値を受信する解釈機を更に含み、
前記算出機は、前記補正値によって前記サウンディング信号の送信電力レベルを調節し、
前記送信機は、調節された送信電力レベルによって前記サウンディング信号を送信することを特徴とする請求項１７に記載の装置。
【請求項１９】
無線通信システムにおける基地局の動作方法において、
サウンディング領域ＮＩを推定する過程と、
アップリンクサウンディング信号に対する多重ターゲットＣＩＮＲ情報を含む第１メッセージ及びサウンディング領域ＮＩ情報を含む第２メッセージを生成する過程と、
前記第１メッセージ及び前記第２メッセージを送信する過程と、
端末から前記サウンディング信号を受信する過程と、を含み、
前記多重ターゲットＣＩＮＲ情報は、ダウンリンクＣＩＮＲ領域を複数の区分に分割し各区分に対応するターゲットＣＩＮＲを定義していることを特徴とする方法。
【請求項２０】
無線通信システムにおける基地局装置において、
サウンディング領域ＮＩを推定する推定機と、
アップリンクサウンディング信号に対する多重ターゲットＣＩＮＲ情報を含む第１メッセージ及びサウンディング領域ＮＩ情報を含む第２メッセージを生成する処理部と、
前記第１メッセージ及び前記第２メッセージを送信する送信モデムと、
端末から前記サウンディング信号を受信する受信モデムと、を含み、
前記多重ターゲットＣＩＮＲ情報は、ダウンリンクＣＩＮＲ領域を複数の区分に分割し各区分に対応するターゲットＣＩＮＲを定義していることを特徴とする装置。
【請求項２１】
無線通信システムにおける基地局の動作方法において、
ダウンリンクＣＩＮＲ及び多重ターゲットＣＩＮＲ情報によってサウンディング信号のターゲットＣＩＮＲを決定する過程と、
サウンディング領域ＮＩを推定する過程と、
前記ターゲットＣＩＮＲの情報を含む第１メッセージ及び前記サウンディング領域ＮＩの情報を含む第２メッセージを生成する過程と、
前記第１メッセージ及び前記第２メッセージを端末に送信する過程と、
前記端末から前記サウンディング信号を受信する過程と、を含み、
前記多重ターゲットＣＩＮＲ情報は、ダウンリンクＣＩＮＲ領域を複数の区分に分割し各区分に対応するターゲットＣＩＮＲを定義していることを特徴とする方法。
【請求項２２】
無線通信システムにおける基地局装置において、
サウンディング領域ＮＩを推定する推定機と、
ダウンリンクＣＩＮＲ及び多重ターゲットＣＩＮＲ情報によってサウンディング信号のターゲットＣＩＮＲを決定し、前記ターゲットＣＩＮＲ情報を含む第２メッセージ及び前記サウンディング領域ＮＩ情報を含む第２メッセージを生成する処理部と、
前記第１メッセージ及び前記第２メッセージを端末に送信する送信モデムと、
前記端末から前記サウンディング信号を受信する受信モデムと、を含み、
前記多重ターゲットＣＩＮＲ情報は、ダウンリンクＣＩＮＲ領域を複数の区分に分割し各区分に対応するターゲットＣＩＮＲを定義していることを特徴とする装置。
【請求項２３】
前記サウンディング信号の受信強度を測定する過程と、
前記受信強度及び前記ターゲットＣＩＮＲを比較し、前記サウンディング信号に対する補正値を決定する過程と、
前記補正値を含む第３メッセージを前記端末に送信する過程と、を更に含むことを特徴とする請求項２１に記載の方法。
【請求項２４】
前記推定機は、前記サウンディング信号の受信強度を測定し、
前記処理部は、前記受信強度及び前記ターゲットＣＩＮＲを比較し、前記サウンディング信号に対する補正値を決定し、
前記送信モデムは、前記補正値を含む第３メッセージを前記端末に送信することを特徴とする請求項２２に記載の装置。
【請求項２５】
前記ダウンリンクＣＩＮＲは、前記端末からフィードバックされるダウンリンクＣＩＮＲ値であるか、又は、前記端末からの受信信号を介して測定されたアップリンクＣＩＮＲ値であることを特徴とする請求項２３に記載の方法。
【請求項２６】
前記ダウンリンクＣＩＮＲは、前記端末からフィードバックされるダウンリンクＣＩＮＲ値であるか、又は、前記端末からの受信信号を介して測定されたアップリンクＣＩＮＲ値であることを特徴とする請求項２４に記載の装置。
【発明の詳細な説明】
【技術分野】
【０００１】
本発明は、無線通信システムにおけるアップリンク電力制御装置及び方法に関するものであり、特に広帯域無線通信システムにおけるアップリンクサウンディング信号の送信電力を制御するための装置及びその方法に関するものである。
【背景技術】
【０００２】
一般的に、通信システムは音声サービスを主として発展してきており、次第に音声だけでなくデータサービス及び多様なマルチメディアサービスも可能な通信システムへと発展しつつある。しかし、音声を主とする通信システムは、伝送帯域の幅が比較的小さくて使用量が高いため、急増する使用者のサービスに対するニーズを満足させることができなかった。更に、通信産業の発達とインターネットサービスに対する使用者の要求が増加し、インターネットサービスを効率的に提供できる通信システムに対する必要性が増大した。従って、効率的にインターネットサービスを提供するための広帯域無線通信システムが導入された。
【０００３】
前記広帯域無線通信システムは、ＯＦＤＭ／ＯＦＤＭＡ（Ｏｒｔｈｏｇｏｎａｌ  Ｆｒｅｑｕｅｎｃｙ  Ｄｉｖｉｓｉｏｎ  Ｍｕｌｉｐｌｅｘｉｎｇ／Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を使用するため、即ち、多数のサブキャリア（ｓｕｂ−ｃａｒｒｉｅｒ）を使用して物理チャンネル信号を送信することで、高速データ送信が可能である。前記広帯域無線通信システムの無線接続方式は、国際標準化機構のうち一つである電気電子学会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）のＩＥＥＥ８０２．１６標準化グループで標準化されている。
【０００４】
前記ＯＦＤＭに基づく広帯域無線接続システムにおいて、アップリンク信号の送信電力が増加すると他の端末や隣接セルに間接的に作用し、送信電力が減少すると基地局の受信電力が小さくなる問題が発生し得る。従って、求められる信号対干渉及び雑音比（ＣＩＮＲ：Ｃａｒｒｉｅｒ  ｔｏ  Ｉｎｔｅｒｆｅｒｅｎｃｅ  ａｎｄ  Ｎｏｉｓｅ  Ｒａｔｉｏ）による適切な電力制御が必要であり、現在、電力制御を効果的に行うための研究が進行中である。前記ＩＥＥＥ８０２．１６ｅの規格によると、アップリンク電力制御は、大きく閉ループ（ｃｌｏｓｅｄ  ｌｏｏｐ）電力制御と開ループ（ｏｐｅｎ  ｌｏｏｐ）電力制御に区分される。前記開ループ電力制御は、ＴＤＤシステムにおけるアップリンクとダウンリンクの経路損失（ｐａｔｈ  ｌｏｓｓ）が同じであるという仮定の下、端末がダウンリンクの経路損失を推定してアップリンク信号の送信電力を制御する方式である。そして前記閉ループ電力制御は、端末機のアップリンク送信電力に対する補正を基地局の制御によって行う方式である。
【０００５】
このように、前記ＩＥＥＥ８０２．１６ｅ規格では開ループ電力制御及び閉ループ電力制御を定義しているが、これはデータ送信（ｄａｔａ  ｔｒａｎｓｍｉｓｓｉｏｎ）に限ることであり、アップリンクのチャンネル推定のための信号（例：サウンディング信号、パイロット信号、プリアンブル信号など）のための電力制御方式に対しては記述されていない。
【０００６】
即ち、データ送信はＭＣＳレベルによって求められるそれぞれのターゲットＣＩＮＲ値を明示しているが、サウンディング信号に対しては、下記表１のように一つのＣＩＮＲ値だけを明示している。
【０００７】
【表１】
0005614895.tif 000002
【０００８】
上述したように、サウンディング信号に対して一つのＣＩＮＲ値だけを明示しているため、言い換えると、端末の状態（例：位置、チャンネル状態など）に関わらず全て同じターゲットＣＩＮＲが求められるため、全体システム（ｏｖｅｒａｌｌ  ｓｙｓｔｅｍ）の雑音及び干渉のレベルが高くなる。
【発明の概要】
【発明が解決しようとする課題】
【０００９】
従って、無線通信システムにおける雑音及び干渉のレベルを減少させるため、アップリンクのサウンディング信号の電力を制御するための装置及びその方法が提示されなければならない。
【課題を解決するための手段】
【００１０】
本発明の目的は、上述した問題点及び短所を解決するためのものであり、次のような利点のうち少なくとも一つを提供する。従って、本発明の目的は、無線通信システムにおけるアップリンクのチャンネル推定のための信号に対して電力制御を行うための装置及びその方法を提供することにある。
【００１１】
本発明の他の目的は、無線通信システムにおけるアップリンクサウンディング信号に対して電力制御を行うための装置及びその方法を提供することにある。
【００１２】
本発明の更に他の目的は、無線通信システムにおける多重ターゲットＣＩＮＲ（ｍｕｌｔｉ  ｔａｒｇｅｔ  ＣＩＮＲ）を利用してサウンディング信号の電力を制御するための装置及びその方法を提供することにある。
【００１３】
本発明の更に他の目的は、無線通信システムにおけるダウンリンクＣＩＮＲによる互いに異なるターゲットＣＩＮＲを利用してサウンディング信号の電力を制御するための装置及びその方法を提供することにある。
【００１４】
本発明の更に他の目的は、無線通信システムにおけるアップリンクのサウンディング信号に対して開ループ電力制御を行うための装置及びその方法を提供することにある。
【００１５】
本発明の更に他の目的は、無線通信システムにおけるアップリンクサウンディング信号に対して閉ループ電力制御を行うための装置及びその方法を提供することにある。
【００１６】
前記目的を達成するための本発明の見地によると、無線通信システムにおける端末の動作方法は、基地局から受信される信号を利用してダウンリンクＣＩＮＲを測定する過程と、前記ダウンリンクＣＩＮＲ及び多重ターゲットＣＩＮＲ情報によって決定されるサウンディング信号のターゲットＣＩＮＲを利用し、前記サウンディング信号の送信電力レベルを決定する過程と、前記送信電力レベルによって前記サウンディング信号を送信する過程と、を含むことを特徴とする。
【００１７】
前記目的を達成するための本発明の他の見地によると、無線通信システムにおける基地局の動作方法は、サウンディング領域ＮＩ（Ｎｏｉｓｅ  ａｎｄ  Ｉｎｔｅｒｆｅｒｅｎｃｅ）を推定する過程と、アップリンクサウンディング信号に対する多重ターゲットＣＩＮＲ情報を含む第１メッセージ及びサウンディング領域ＮＩ情報を含む第２メッセージを生成する過程と、前記第１メッセージ及び前記第２メッセージを送信する過程と、端末から前記サウンディング信号を受信する過程と、を含むことを特徴とする。
【００１８】
前記目的を達成するための本発明の更に他の見地によると、無線通信システムにおける基地局の動作方法は、ダウンリンクＣＩＮＲ及び多重ターゲットＣＩＮＲ情報によってサウンディング信号のターゲットＣＩＮＲを決定する過程と、サウンディング領域ＮＩを推定する過程と、前記ターゲットＣＩＮＲ情報を含む第１メッセージ及び前記サウンディング領域ＮＩ情報を含む第２メッセージを生成する過程と、前記第１メッセージ及び前記第２メッセージを端末に送信する過程と、前記端末から前記サウンディング信号を受信する過程と、を含むことを特徴とする。
【００１９】
前記目的を達成するための本発明の更に他の見地によると、無線通信システムにおける端末装置は、基地局から受信される信号を利用してダウンリンクＣＩＮＲを測定する推定機と、前記ダウンリンクＣＩＮＲ及び多重ターゲットＣＩＮＲ情報によって決定されるサウンディング信号のターゲットＣＩＮＲを利用して前記サウンディング信号の送信電力レベルを決定する算出機と、前記送信電力レベルによって前記サウンディング信号を送信する送信機と、を含むことを特徴とする。
【００２０】
前記目的を達成するための本発明の更に他の見地によると、無線通信システムにおける基地局装置は、サウンディング領域ＮＩを推定する推定機と、アップリンクサウンディング信号に対する多重ターゲットＣＩＮＲ情報を含む第１メッセージ及びサウンディング領域ＮＩ情報を含む第２メッセージを生成する処理部と、前記第１メッセージ及び前記第２メッセージを送信する送信モデムと、端末から前記サウンディング信号を受信する受信モデムと、を含むことを特徴とする。
【００２１】
前記目的を達成するための本発明の更に他の見地によると、無線通信システムにおける基地局装置は、サウンディング領域ＮＩを推定する推定機と、ダウンリンクＣＩＮＲ及び多重ターゲットＣＩＮＲ情報によってサウンディング信号のターゲットＣＩＮＲを決定し、前記ターゲットＣＩＮＲ情報を含む第１メッセージ及び前記サウンディング領域ＮＩ情報を含む第２メッセージを生成する処理部と、前記だい１メッセージ及び前記第２メッセージを端末に送信するモデムと、前記端末から前記サウンディング信号を受信する受信モデムと、を含むことを特徴とする。
【００２２】
本発明の他の見地、利点、主な特徴は、以下に添付した本発明の実施の形態及び図面と共に説明される詳細な説明から当業者に明白に認識できるはずである。
【００２３】
本発明の実施の形態による本発明の上述した見地（ａｓｐｅｃｔ）及び他の見地、特徴、利点は、以下のような図面と共に説明される詳細な説明から明白に認識できるはずである。
【図面の簡単な説明】
【００２４】
【図１】本発明の実施の形態による無線通信システムにおいて、基地局と端末の間における信号交換の手順を示す図である。
【図２】本発明の実施の形態による無線通信システムにおける基地局の動作の手順を示す図である。
【図３】本発明の実施の形態による無線通信システムにおける端末の動作の手順を示す図である。
【図４】本発明の実施の形態による無線通信システムにおける閉ループ電力制御モードのための基地局の動作の手順を示す図である。
【図５】本発明の実施の形態による無線通信システムにおける閉ループ電力制御モードのための端末の動作の手順を示す図である。
【図６】本発明の実施の形態による無線通信システムにおける基地局の構成を示す図である。
【図７】本発明の実施の形態による無線通信システムにおける端末の構成を示す図である。
【図８】本発明の性能を検証するためのＰｅｄ（ｐｅｄｅｓｔｒｉａｎ）−Ａチャンネルにおける実験結果を示すグラフである。
【図９】本発明の性能を検証するためのＰｅｄ−Ｂチャンネルにおける実験結果を示すグラフである。
【発明を実施するための形態】
【００２５】
前記図面において、参照番号は、同じであるか類似した要素、特徴、構造を説明するために使用される。
【００２６】
以下の図面を参考にした説明は、特許請求の範囲及びこれと同等なものによって定義される本発明の実施の形態に対する包括的な理解を助けるために提供される。以下の説明は、理解を助けるために多様な具体的細部事項を含むが、単に例示として扱われるのみである。従って、本発明の思想や範囲を逸脱しない限り、実施の形態の多様な変形及び修正が可能であるというのはもちろんである。また、広く知られている機能及び構造の説明は明確性のために省略する。
【００２７】
以下の説明及び特許請求の範囲で使用される用語及び単語は、辞書的な意味に限らず、単に発明の明確性及び理解のために使用されたものである。従って、当業者にとって、以下で説明される本発明の実施の形態は説明の目的のみを有し、特許請求の範囲及びこれと同等なものによって定義される発明を制限するためのものではない。
【００２８】
以下、本発明の実施の形態は、広帯域無線通信システムにおける多重ターゲットＣＩＮＲ（ｍｕｌｔｉ  ｔａｒｇｅｔ  ＣＩＮＲ）を利用し、アップリンクサウンディング信号の電力を制御するための技術を提供する。
【００２９】
アップリンクチャンネル推定のために特定の位置で伝送される信号は、サウンディング信号、パイロット信号、プリアンブル信号、ミッドアンブル信号、ポストアンブル信号などで呼ばれてもよく、以下の説明はサウンディング信号であることを仮定して説明する。
【００３０】
また、求められる目標（ｔａｒｇｅｔ）の受信信号強度表示の値は、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＳＮＲ（Ｓｉｇｎａｌ  ｔｏ  Ｎｏｉｓｅ  Ｒａｔｉｏ）、ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）、Ｃ／Ｉ（Ｃａｒｒｉｅｒ  ｔｏ  Ｉｎｔｅｒｆｅｒｅｎｃｅ）、ＣＮＲ（Ｃａｒｒｉｅｒ  ｔｏ  Ｎｏｉｓｅ  Ｒａｔｉｏ）などが使用されてもよく、以下の説明は、ＣＩＮＲであることを仮定して説明する。
【００３１】
以下、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）に基づく広帯域無線接続を例にして説明するが、本発明は他の接続方式の通信システムにも容易に適用できる。
【００３２】
前記広帯域無線接続システムにおいて、開ループ電力制御（ｏｐｅｎ−ｌｏｏｐ  ｐｏｗｅｒ  ｃｏｎｔｒｏｌ）によるアップリンク送信電力レベルは、下記＜数１＞のように維持される。
【００３３】
【数１】
0005614895.tif 000003
【００３４】
ここで、前記Ｐは、現在伝送（ｃｕｒｒｅｎｔ  ｔｒａｎｓｍｉｓｓｉｏｎ）に対する使用者別送信電力レベル（ＴＸ  ｐｏｗｅｒ  ｌｅｖｅｌ）を示す。前記Ｌは、推定された平均アップリンク電波損失（Ｅｓｔｉｍａｔｅｄ  ａｖｅｒａｇｅ  ｃｕｒｒｅｎｔ  ＵＬ  ｐｒｏｐａｇａｔｉｏｎ  ｌｏｓｓ）を示す。前記Ｃ／Ｎは、現在伝送に対する正規化されたＣ／Ｎ（ｎｏｒｍａｌｉｚｅｄ  Ｃ／Ｎ）を示す。前記ＮＩは、基地局で推定された使用者別雑音及び干渉の平均電力レベル（ａｖｅｒａｇｅ  ｐｏｗｅｒ  ｌｅｖｅｌ（ｄＢｍ）  ｏｆ  ｔｈｅ  ｎｏｉｓｅ  ａｎｄ  ｉｎｔｅｒｆｅｒｅｎｃｅ）を示す。前記Ｒは、ＭＣＳレベル（ｍｏｄｕｌａｔｉｏｎ／ＦＥＣ  ｒａｔｅ）による反復回数（ｔｈｅ  ｎｕｍｂｅｒ  ｏｆ  ｒｅｐｅｔｉｔｉｏｎ）を示す。前記Ｏｆｆｓｅｔ＿ＳＳｐｅｒｓｓは、端末特定電力オフセット（ＳＳ−ｓｐｅｃｉｆｉｃ  ｐｏｗｅｒ  ｏｆｆｓｅｔ）に対する補償ターム（ｃｏｒｒｅｃｔｉｏｎ  ｔｅｒｍ）であり、端末によって制御される値である。前記Ｏｆｆｓｅｔ＿ＢＳｐｅｒｓｓは、端末特定電力オフセットに対する補償タームで、基地局によって制御されるタームである。
【００３５】
前記＜数１＞を利用した本発明によるサウンディング信号の電力制御に対して調べてみると以下のようになる。
【００３６】
前記＜数１＞において、２番目のタームであるＣ／ＮはターゲットＣＩＮＲを示し、４番目のタームである１０ｌｏｇ１０（Ｒ）は、サウンディング信号を送信するとき考慮されないものと仮定する。全体システムの干渉レベルを減らすため、ダウンリンクＣＩＮＲによって互いに異なるターゲットＣＩＮＲ値がサウンディング伝送のために割り当てられてもよい。例えば、セル地形（ｇｅｏｍｅｔｒｙ）をダウンリンクＣＩＮＲによって４つの領域（ｒｅｇｉｏｎｓ）に分けると仮定する際、多重ターゲットＣＩＮＲ値は下記＜表２＞のように示される。
【００３７】
【表２】
0005614895.tif 000004
【００３８】
ここで、Ｔｈ１＜Ｔｈ２＜Ｔｈ３であり、ＣＩＮＲ  １＜ＣＩＮＲ  ２＜ＣＩＮＲ  ３＜ＣＩＮＲ  ４である。
【００３９】
前記＜表２＞を参照すると、セル中心（ｇｏｏｄ  ｇｅｏｍｅｔｒｙ）に位置する端末は相対的に高いターゲットＣＩＮＲを適用し、セルエッジ（ｂａｄ  ｇｅｏｍｅｔｒｙ）に位置する端末は相対的に低いターゲットＣＩＮＲを適用してもよい。
【００４０】
ダウンリンクＣＩＮＲ及びターゲットＣＩＮＲの対応関係に対する情報は、基地局からのメッセージを介して端末に伝達されてもよい。また、他の実施の形態によって、基地局と端末が前記ダウンリンクＣＩＮＲの情報を事前に共有している場合、基地局はターゲットＣＩＮＲ情報を決定して端末に知らせてもよい。
【００４１】
更に他の実施の形態によって、ダウンリンクＣＩＮＲ及び多重ターゲットＣＩＮＲの対応関係に対する情報が予め定義されているか、又は、システム規格によって端末の内部にダウンリンクＣＩＮＲ及び多重ターゲットＣＩＮＲの対応関係の情報が予めセーブされている場合、基地局は前記ダウンリンクＣＩＮＲ及びターゲットＣＩＮＲの対応関係に対する情報を別途に知らせる必要がない。
【００４２】
一方、前記＜数１＞において、Ｃ／ＮがターゲットＣＩＮＲであれば、開ループ電力制御によるアップリンク送信電力レベルは、下記＜数２＞のように示されてもよい。サウンディング伝送における反復コーディング（ｒｅｐｅｔｉｔｉｏｎ  ｃｏｄｉｎｇ）は考慮されないため、即ち、前記＜数１＞における４番目のターム（１０ｌｏｇ１０（Ｒ））は考慮されないため、ターゲットＣＩＮＲを使用する場合、送信電力のレベルは下記＜数２＞のように計算されてもよい。
【００４３】
【数２】
0005614895.tif 000005
【００４４】
ここで、前記Ｎは雑音の平均電力レベルを示す。もし、アップリンクとダウンリンクにおける前記Ｎ値が同じであると仮定すると、前記Ｎ値に対する情報を基地局から端末に伝送する必要なく、端末は自ら測定した値を利用してもよい。
【００４５】
上述した内容に基づいて、本発明の好ましい実施の形態を図面を参照しながら説明する。
【００４６】
図１は、本発明の実施の形態による無線通信システムにおける基地局と端末の間における信号交換の手順を示す図である。
【００４７】
前記図１を参照すると、基地局１０はステップ１０１でＤＬ  ＣＩＮＲによる多重ターゲットＣＩＮＲ情報を含むメッセージを端末２０に伝送する。例えば、前記メッセージは、システム情報をブロードキャスティングするためのＤＣＤ／ＵＣＤ（Ｄｏｗｎｌｉｎｋ  Ｃｈａｎｎｅｌ  Ｄｅｓｃｒｉｔｏｒ／Ｕｐｌｉｎｋ  Ｃｈａｎｎｅｌ  Ｄｅｓｃｒｉｐｔｏｒ）メッセージであってもよい。また、前記基地局１０は、ステップ１０３で推定されたサウンディング領域ＮＩ値を含むメッセージを前記端末２０に伝送する。例えば、前記メッセージは、アップリンク雑音及び干渉レベルＩＥ（ＵＬ  ｎｏｉｓｅ  ａｎｄ  ｉｎｔｅｒｆｅｒｅｎｃｅ  ｌｅｖｅｌ  ＩＥ）であってもよい。
【００４８】
前記メッセージを受信した前記端末２０は、ステップ１０５でフレームプリアンブル（ｆｒａｍｅ  ｐｒｅａｍｂｌｅ）信号を利用してＤＬ  ＣＩＮＲを測定する。そして、前記端末２０は、ステップ１０７で前記測定されたＤＬ  ＣＩＮＲに対応されるターゲットＣＩＮＲ値と前記サウンディング領域ＮＩ値を利用し、前記＜数１＞によってサウンディング信号の送信電力を計算する。次に、前記端末２０は、ステップ１０９で前記計算された送信電力によってサウンディング信号を前記基地局１０に伝送する。
【００４９】
図２は、本発明の実施の形態による無線通信システムにおける基地局の動作の手順を示す図である。
【００５０】
図２を参照すると、基地局はステップ２０１でダウンリンクＣＩＮＲによる多重ターゲットＣＩＮＲの情報を含むメッセージを生成する。例えば、前記メッセージは、システム情報をブローキャスティングするためのＤＣＤ／ＵＣＤであってもよい。そして、前記基地局は、ステップ２０２に進行して前記多重ターゲットＣＩＮＲ情報を含むメッセージを端末に伝送する。この際、前記メッセージが前記ＤＣＤ／ＵＣＤメッセージである場合、前記多重ターゲットＣＩＮＲ情報は周期的にブロードキャスティングされてもよい。
【００５１】
一方、前記基地局は、ステップ２０５でサウンディング領域雑音及び干渉（ＮＩ）を推定する。そして、前記基地局は、ステップ２０７で前記サウンディング領域ＮＩ情報を含むＩＥ（Ｉｎｆｏｒｍａｔｉｏｎ  Ｅｌｅｍｅｎｔ）を生成し、ステップ２０９で前記生成されたＩＥを制御チャンネル（例：ＭＡＰチャンネル）を介して端末に伝送する。例えば、前記ＩＥはアップリンク雑音及び干渉レベルＩＥ（ＵＬ  ｎｏｉｓｅ  ａｎｄ  ｉｎｔｅｒｆｅｒｅｎｃｅ  ｌｅｖｅｌ  ＩＥ）であってもよい。
【００５２】
前記端末が前記＜数１＞の電波損失（ｐｒｏｐａｇａｔｉｏｎ  ｌｏｓｓ）を推定するためには、基地局の送信電力の値、例えばＢＳ＿ＥＩＲＰ値が必要となるが、前記ＢＳ＿ＥＩＲＰ値は前記ＤＣＤメッセージを介して端末に伝送されてもよい。もし、サウンディング信号電力制御に前記＜数１＞の６番目のタームであるＯｆｆｓｅｔ＿ＢＳｐｅｒｓｓが考慮されるとしたら、前記端末は前記基地局から受信される電力制御に関するメッセージ（例：ＰＭＣ＿ＲＳＰ  ｍｅｓｓａｇｅ、Ｆａｓｔ  Ｐｏｗｅｒ  Ｃｏｎｔｒｏｌ  ｍｅｓｓａｇｅ、Ｐｏｗｅｒ  Ｃｏｎｔｒｏｌ  ＩＥ、ＵＬ−ＭＡＰ＿Ｆａｓｔ＿Ｔｒａｃｋｉｎｇ＿ＩＥなど）から前記Ｏｆｆｓｅｔ＿ＢＳｐｅｒｓｓ値を獲得し、サウンディング信号電力制御に利用してもよい。
【００５３】
図３は、本発明の実施の形態による無線通信システムにおける端末の動作の手順を示す図である。
【００５４】
図３を参照すると、端末はステップ３０１でサウンディング信号に対する多重ターゲットＣＩＮＲの情報を含むメッセージを受信する。前記メッセージは、ダウンリンクＣＩＮＲレベルによる多重ＣＩＮＲの情報を含み、例えば、ＤＣＤ／ＵＣＤメッセージであってもよい。
【００５５】
そして、前記端末はステップ３０３に進行し、制御チャンネル（例：ＭＡＰチャンネル）を介してサウンディング領域ＮＩ値を含むメッセージを受信する。ここで、前記メッセージは、例えば、ＵＬ雑音及び干渉レベルＩＥであってもよい。
【００５６】
次に、前記端末はステップ３０５に進行し、基地局から受信される特定信号（例：プリアンブル信号）を利用してダウンリンクＣＩＮＲを測定する。そして、前記端末はステップ３０７に進行し、前記測定されたダウンリンクＣＩＮＲレベルによるターゲットＣＩＮＲ値を前記多重ターゲットＣＩＮＲ情報を使用して決定する。
【００５７】
そして、前記端末はステップ３０９に進行し、前記ターゲットＣＩＮＲ値と前記受信されたサウンディング領域ＮＩ値を前記＜数１＞のような開ループ電力制御数式（ｏｐｅｎ  ｌｏｏｐ  ｐｏｗｅｒ  ｃｏｎｔｒｏｌ  ｆｏｒｍｕｌａ）に適用することで、サウンディング信号の送信電力（ＴＸ  ｐｏｗｅｒ）レベルを算出する。前記＜数１＞を使用するため、端末はアップリンク電波損失を推定しなければならないが、前記端末はフレームプリアンブルの受信総電力とＤＣＤメッセージから獲得したＢＳ＿ＥＩＲＰ値を利用して前記アップリンク電波損失を推定してもよい。もし、前記＜数１＞で５番目のタームであるＯｆｆｓｅｔ＿ＳＳｐｅｒｓｓ値を考慮するならば、前記端末は規定された数式によって前記Ｏｆｆｓｅｔ＿ＳＳｐｅｒｓｓ値を算出してもよい。また、前記＜数１＞で６番目のタームであるＯｆｆｓｅｔ＿ＢＳｐｅｒｓｓ値を考慮するならば、前記端末は、基地局から受信される電力制御に関するメッセージから前記Ｏｆｆｓｅｔ＿ＢＳｐｅｒｓｓ値を獲得して使用してもよい。
【００５８】
このように、サウンディング信号の送信電力レベルを算出した後、前記端末はステップ３１１に進行して前記算出された送信電力レベルによってサウンディング信号を基地局に送信する。
【００５９】
一方、端末は初期サウンディング信号の伝送の際、上述したように端末が主体となってサウンディング信号の送信電力を計算する開ループ電力制御モードで動作してから、閉ループ電力制御モードに転換されてもよい。以下、閉ループ電力制御モードによる動作について説明する。
【００６０】
図４は、本発明の実施の形態による無線通信システムにおける閉ループ電力制御モードのための基地局の動作の手順を示す図である。
【００６１】
図４を参照すると、基地局はステップ４１０で特定のイベント又は特定の条件によって開ループ電力制御モードから閉ループ電力制御モードに転換される。ここで、前記特定のイベント又は前記特定の条件は、標準又は操作者の意図によって多様に定義されてもよい。
【００６２】
前記閉ループ電力制御モードに転換された後、前記基地局はステップ４０３に進行して端末とのチャンネル値を獲得する。例えば、前記基地局は前記端末からダウンリンクＣＩＮＲ情報を受信するか、又は、端末から受信される制御／データチャンネルを利用してダウンリンクＣＩＮＲを測定してもよい。
【００６３】
前記端末とのチャンネル値が決定されると、前記基地局はステップ４０５に進行して前記決定されたチャンネル値（例：ダウンリンクＣＩＮＲ又はアップリンクＣＩＮＲ）を利用して端末のジオメトリ（ｇｅｏｍｅｔｒｙ）に該当するサウンディング信号のターゲットＣＩＮＲを決定する。そして、前記基地局はステップ４０７に進行し、前記ターゲットＣＩＮＲ情報を含むメッセージを前記端末に伝送する。
【００６４】
次に、前記基地局はステップ４０９に進行し、サウンディング領域の雑音及び干渉（ＮＩ）を推定する。そして、前記基地局はステップ４１１に進行し、前記サウンディング領域のＮＩ情報を含むＩＥを生成し、前記生成されたＩＥを制御チャンネル（例：ＭＡＰチャンネル）を介して端末に伝送する。例えば、前記ＩＥはアップリンクの雑音及び干渉レベルＩＥであってもよい。
【００６５】
次に、前記基地局はステップ４１３に進行し、前記端末からサウンディング信号が受信されるかを検査する。前記サウンディング信号が受信される場合、前記基地局はステップ４１５に進行して前記受信されたサウンディング信号の受信強度（例：ＣＩＮＲ）を測定する。そして、前記基地局はステップ４１７に進行し、前記受信強度及び前記端末に提供された前記ターゲットＣＩＮＲを比較し、前記サウンディング信号に対する送信電力の補正（ｏｆｆｓｅｔ）値を決定する。例えば、前記受信強度が前記ターゲットＣＩＮＲより高ければ、前記補正値は端末の送信電力を低くするための値となり、前記受信強度が前記ターゲットＣＩＮＲより低ければ、前記補正値は端末の送信電力を高くするための値となる。
【００６６】
次に、前記基地局はステップ４１９に進行し、前記送信電力の補正地を含むメッセージを前記端末に伝送した後、前記ステップ４１３に戻って前記ステップ４１５乃至前記ステップ４１９を再び行う。必要であれば、例えば、閉ループ電力制御が端末の送信電力に追いつかないと判断される場合、前記基地局はターゲットＣＩＮＲを再び決定して端末に伝送してもよい。例えば、前記ターゲットＣＩＮＲは一定の周期で前記端末に伝送されてもよい。
【００６７】
図５は、本発明の実施の形態による無線通信システムにおける閉ループ電力制御モードのための端末の動作の手順を示す図である。
【００６８】
図５を参照すると、端末はステップ５０１で特定のイベント又は特定の条件によって開ループ電力制御モードから閉ループ電力制御モードに変換される。ここで、前記特定のイベント又は前記特定の条件は、標準又は操作者の意図によって多様に定義されてもよい。
【００６９】
前記閉ループ電力制御モードに転換された後、前記端末はステップ５０３に進行し、基地局から受信される特定信号（例：プリアンブル信号）を利用してダウンリンクＣＩＮＲを測定する。そして前記端末は、ステップ５０５で前記測定されたダウンリンクＣＩＮＲを前記基地局に伝送する。例えば、前記ダウンリンクＣＩＮＲ値はＣＱＩＣＨ（Ｃｈａｎｎｅｌ  Ｑｕａｌｉｔｙ  Ｉｎｄｉｃａｔｏｒ  Ｃｈａｎｎｅｌ）を介して前記基地局にフィードバックされてもよい。
【００７０】
次に、前記端末はステップ５０７に進行し、前記基地局からサウンディング信号に対するターゲットＣＩＮＲの情報及びサウンディング領域ＮＩ情報を受信する。前記ターゲットＣＩＮＲ及びサウンディング領域ＮＩは、それぞれＭＡＰメッセージ内のＩＥと定義されてもよい。例えば、前記サウンディング領域ＮＩは、ＵＬ雑音及び干渉レベルＩＥを介して受信されてもよい。
【００７１】
次に、前記端末はステップ５０９に進行し、前記受信されたターゲットＣＩＮＲ値と前記受信されたサウンディング領域ＮＩ値を例にして、前記＜数１＞のような数式に適用してサウンディング信号の送信電力（ＴＸ  ｐｏｗｅｒ）レベルを算出する。そして、前記端末は、ステップ５１１で前記算出された送信電力レベルによってサウンディング信号を基地局に送信する。
【００７２】
前記サウンディング信号を伝送した後、前記端末はステップ５１３に進行し、前記基地局から前記サウンディング信号に対する送信電力の補正値が受信されるかを検査する。前記送信電力の補正値が受信される場合、前記端末はステップ５１５に進行して前記受信された補正値によってサウンディング信号の送信電力レベルを補正し、前記補正された送信電力レベルによって前記サウンディング信号を基地局に送信した後、前記ステップ５１３に戻る。もし、基地局から新しいターゲットＣＩＮＲの情報が受信される場合、前記端末は再び前記＜数１＞を適用してサウンディング信号の送信電力レベルを算出することができる。
【００７３】
図６は、本発明の実施の形態による無線通信システムにおける基地局の構成を示す図である。
【００７４】
図６に示したように、基地局はＭＡＣ（Ｍｅｄｉａ  Ａｃｃｅｓｓ  Ｃｏｎｔｒｏｌ）処理部６００と、送信モデム６０２と、受信モデム６０４と、デュープレクサ６０６と、推定機６０８と、を含む。
【００７５】
前記ＭＡＣ処理部６００は、上位階層から伝達されたパケットをＭＡＣ階層処理して送信モデム６０２に伝達し、逆に受信モデム６０４から伝達されたパケットをＭＡＣ階層処理して上位階層に伝達する。また、前記ＭＡＣ処理部６００は、通信のための各種制御メッセージ（例：ＭＡＣ  ｍａｎａｇｅｍｅｎｔ）を生成して送信モデム６０２に伝達し、逆に前記受信モデム６０４からの受信制御メッセージを解釈して該当操作を制御する。
【００７６】
本発明によるサウンディング信号の開ループ電力制御のため、前記ＭＡＣ処理部６００はサウンディング信号に対する多重ターゲットＣＩＮＲ情報を含むメッセージ及びサウンディング領域ＮＩ情報を含むメッセージを生成する。例えば、前記多重ターゲットＣＩＮＲ情報を含むメッセージはＤＣＤ／ＵＣＤメッセージであってもよく、前記サウンディング領域ＮＩ情報を含むメッセージはアップリンク雑音及び干渉レベルＩＥであってもよい。また、サウンディング信号の閉ループ電力制御のため、前記ＭＡＣ処理部６００は、端末とのチャンネル値（例：ダウンリンクＣＩＮＲ及びアップリンクＣＩＮＲ）によって決定されたターゲットＣＩＮＲを含むメッセージを生成してもよい。また、前記ＭＡＣ処理部６００は、開ループ電力制御数式に必要なＢＳ＿ＥＩＲＰ値を含むＤＣＤメッセージ及びＯｆｆｓｅｔ＿ＢＳｐｅｒｓｓ値を含むメッセージなどを生成してもよい。
【００７７】
前記送信モデム６０２は、前記ＭＡＣ処理部４００からのトラフィックバースト（又はパケット）及び制御メッセージバーストを物理階層処理してデュープレクサ６０６に伝達する。例えば、前記送信モデム６０２は、送信パケットをチャンネルコーディング、基底帯域変調（例：コード拡散変調、ＯＦＤＭ変調など）及びＲＦ変調する処理を行ってもよい。
【００７８】
前記デュープレクサ６０６は、デュープレクシング方式によって前記送信モデム６０２からの信号をアンテナを介して送信し、前記アンテナからの受信信号を前記受信モデム６０４に提供する。
【００７９】
前記受信モデム６０４は、前記デュープレクサ６０６からの受信信号を物理階層処理して前記ＭＡＣ処理部６０６に伝達する。例えば、前記受信モデム６０４は受信信号をＲＦ復調、基底帯域復調及びチャンネルデコーディングする処理を行ってもよい。一方、前記受信モデム６０４は、ＯＦＤＭ復調された信号から特定信号（例：パイロット信号、サウンディング信号など）を抽出し、推定機６０８に提供する。
【００８０】
前記推定機６０８は、前記受信モデム６０４からの特定信号を利用してサウンディング領域ＮＩを推定し、前記推定されたサウンディング領域ＮＩ値を前記ＭＡＣ処理部６００に提供する。このように提供されたサウンディング領域ＮＩ値は、アップリンク雑音及び干渉レベルＩＥを介して端末に伝送されてもよい。また、前記推定機６０８は前記受信モデム６０４からアップリンクを介して受信されたサウンディング信号を入力され、前記サウンディング信号の受信強度（例：ＣＩＮＲ）を測定して前記ＭＡＣ処理部６００に提供する。そうすると、前記ＭＡＣ処理部６００は前記測定された受信強度と前記端末に要請されたターゲットＣＩＮＲを比較し、サウンディング信号の送信電力の補正値を決定し、前記補正値を含むメッセージを生成して送信モデム６０２に提供してもよい。
【００８１】
図７は、本発明の実施の形態による無線通信システムにおける端末の構成を示す図である。
【００８２】
図７は、本発明によるサウンディングチャンネル送信機を主として示したものであり、制御部７００と、受信メッセージ解釈機７０２と、信号推定機７０４と、送信レベル算出機７０６と、サウンディング信号生成機７０８と、利得調整機７１０と、副搬送波マッピング機７１２と、ＯＤＦＭ変調機７１４と、ＤＡＣ（Ｄｉｇｉｔａｌ  ｔｏ  Ａｎａｌｏｇ  Ｃｏｎｖｅｒｔｅｒ）７１６と、ＲＦ（Ｒａｄｉｏ  Ｆｒｅｑｕｅｎｃｙ）送信機７１８と、を含む。
【００８３】
前記受信メッセージ解釈機７０２は、基地局から受信される制御メッセージ（ＭＡＣ  ｍａｎａｇｅｍｅｎｔ  ｍｅｓｓａｇｅ）を解釈し、その結果を制御部７００に提供する。本発明による開ループ電力制御のため、前記受信メッセージ解釈機７０２は、基地局から受信されたＤＣＤ／ＵＣＤメッセージからサウンディング信号に対する多重ターゲットＣＩＮＲ情報を抽出して前記制御部７００に提供する。また、前記受信メッセージ解釈機７０２は、基地局から受信されたアップリンク雑音及び干渉レベルＩＥからサウンディング領域ＮＩ情報を抽出して前記制御部７００に提供する。また、閉ループ電力制御のため、前記受信メッセージ解釈機７０２は、基地局から受信されたメッセージからサウンディング信号に対するターゲットＣＩＮＲ情報を抽出して前記制御部７００に提供する。また、サウンディング信号に対する閉ループ電力制御モードを行うとき、前記受信メッセージ解釈機７０２は、前記基地局から受信されたメッセージからサウンディング信号に対する送信電力の補正値を抽出して前記制御部７００に提供する。
【００８４】
前記信号推定機７０４は、フレームプリアンブル信号を利用して受信総電力及びダウンリンクＣＩＮＲを測定し、前記測定された値を前記制御部７００に提供する。一方、前記ダウンリンクＣＩＮＲ値は、ＣＩＱＣＨを介して基地局にフィードバックされてもよい。
【００８５】
前記制御部７００は、サウンディング信号の伝送のための全般的な動作を制御する。前記制御部７００は、サウンディング信号の送信電力レベルの算出に必要なパラメータを集め、前記集められた各種パラメータ（例：電波損失（Ｌ）、ターゲットＣＩＮＲ（Ｃ／Ｎ）など）を送信レベル算出機７０６に提供する。また、閉ループ電力制御モードの行うとき、前記制御部７００は、基地局から受信されたサウンディング信号に対する送信電力の補正値を前記送信レベル算出機７０６に提供する。ここで、前記電波損失（Ｌ）は、フレームプレアンブルの受信総電力と基地局から受信されたＢＳ＿ＥＩＲＰ値を利用して計算されてもよい。また、前記ターゲットＣＩＮＲ値は、開ループ電力制御モードである場合、基地局から受信された多重ターゲットＣＩＮＲの情報を利用して決定され、閉ループ電力制御モードである場合、前記基地局から受信されてもよい。
【００８６】
前記送信レベル算出機７０６は、前記制御部７００からの各種パラメータを開ループ電力制御数式＜数１＞に適用し、サウンディング信号の送信電力レベルを算出する。開ループ電力制御モードである場合、前記数１に適用されるターゲットＣＩＮＲ値は端末によって決定され、閉ループ電力制御モードである場合、前記ターゲットＣＩＮＲ値は基地局から受信されてもよい。また、閉ループ電力制御モードを行うとき、前記送信レベル算出機７０６は、基地局から受信された送信電力の補正値によってサウンディング信号の送信電力レベルを補正してもよい。そして、前記送信レベル算出機７０６は、前記算出された送信電力レベルによってサウンディング信号の利得を制御する。
【００８７】
前記サウンディング信号生成機７０８は、前記制御部７００の制御の下、特定シーケンスを利用してサウンディング信号を生成する。前記利得調整機７１０は、前記サウンディング信号生成機７０８からのサウンディング信号の利得を前記送信レベル算出機７０６からの制御信号によって調整して出力する。一方、前記利得調整機７１０は、副搬送波マッピング機７１２とＯＦＤＭ変調機７１４の間に位置されてもよい。
【００８８】
前記副搬送波マッピング機７１２は、前記利得調整機７１０からの利得調整されたサウンディング信号を、基地局から割り当てられたサウンディング領域にマッピングして出力する。前記ＯＦＤＭ変調機７１４は、前記副搬送波マッピング機７１２からのサウンディング信号をＩＦＦＴ（Ｉｎｖｅｒｓｅ  Ｆａｓｔ  Ｆｏｕｒｉｅｒ  Ｔｒａｎｓｆｏｒｍ）演算して時間領域のサンプルデータに変換し、前記サンプルデータに保護区間（ＣＰ：Ｃｙｃｌｉｃ  Ｐｒｅｆｉｘ）を付けて出力する。前記ＤＡＣ７１６は、前記ＯＦＤＭ変調機７１４からのサンプルデータをアナログ信号に変換して出力する。前記ＲＦ送信機７１８は、周波数合成機及びフィルタなどを含み、前記ＤＡＣ７１６からの基底帯域信号をＲＦ信号に変換してアンテナを介して送信する。
【００８９】
本発明による性能を検証するためのシミュレーションの結果を調べてみると以下のようである。
【００９０】
実験の環境は下記＜表３＞のようであり、実験のケースは下記＜表４＞のようである。
【００９１】
【表３】
0005614895.tif 000006
【００９２】
【表４】
0005614895.tif 000007
【００９３】
前記＜表４＞に示したように、従来（ｃｏｎｖｅｎｔｉｏｎａｌ）技術でターゲットＣＩＮＲ地がそれぞれ５．０ｄＢ、１０．０ｄＢに固定されている二つのケースを考慮したものである。そして、本発明は、ダウンリンクＣＩＮＲ領域を０ｄＢ、３ｄＢ、６ｄＢを基準に４つの区間で区分したものである。セクタ当たりの使用者数が一人である場合、各ダウンリンクＤＬ  ＣＩＮＲ領域に対応される多重ターゲットＣＩＮＲ値を４．０ｄＢ、５．２３ｄＢ、７．０ｄＢ、１０．０ｄＢに設定し、セクタ当たりの使用者数が４人である場合、２．０ｄＢ、３．２３ｄＢ、５．０ｄＢ、８．０ｄＢに設定して実験したものである。
【００９４】
図８は、本発明の性能を検証するためのＰｅｄ（ｐｅｄｅｓｔｒｉａｎ）−Ａチャンネルにおける実験の結果を示すグラフである。図９は、本発明の性能を検証するためのＰｅｄ−Ｂチャンネルにおける実験の結果を示すグラフである。前記図８及び図９に示したように、本発明は従来技術対比サウンディングＳＮＲの観点において、Ｐｅｄ−Ａチャンネルの場合最大３ｄＢの利得があり、Ｐｅｄ−Ｂチャンネルの場合最大２ｄＢの利得があることが確認できる。
【００９５】
上述したように、本発明は、無線通信システムにおけるアップリンクチャンネル推定のためのサウンディング信号の伝送の際、多重ターゲットＣＩＮＲを利用して電力を制御することで、端末の状態（地理的位置など）によって適切なターゲットＣＩＮＲにサウンディング信号を伝送できるという利点がある。また、本発明は、アップリンク信号に対して開ループ電力制御だけでなく閉ループ電力制御も運用することで、アップリンクサウンディング信号に対する追加的な補正が容易であるという利点がある。即ち、本発明によるサウンディング電力制御方式は、サウンディング信号の品質（ｓｏｕｎｄｉｎｇ  ｑｕａｌｉｔｙ）を高め、全体システムの雑音及び干渉レベルを減少させるという利点がある。
【００９６】
一方、本発明の詳細な説明では具体的な実施の形態について説明したが、本発明の範囲を逸脱しない範囲内で多様な変形が可能であるというのはもちろんである。従って、本発明の範囲は説明された実施の形態に限って決められず、後述する特許請求の範囲だけでなくこの特許請求の範囲と均等なものによって決められるべきである。
【符号の説明】
【００９７】
６００  ＭＡＣ処理部
６０２  送信モデム
６０４  受信モデム
６０６  デュープレクサ
６０８  推定機
【図１】
0005614895.tif 000010
【図２】
0005614895.tif 000011
【図３】
0005614895.tif 000012
【図４】
0005614895.tif 000013
【図５】
0005614895.tif 000014
【図６】
0005614895.tif 000015
【図７】
0005614895.tif 000016
【図８】
0005614895.tif 000017
【図９】
0005614895.tif 000018